(57)【特許請求の範囲】
【請求項１】
光ファイバの先端近傍が挿入されたフェルールを内蔵したプラグ本体と、当該プラグ本体の先端外周面から基端側へ向けて斜め上方向に突出された解除レバーと、接続する相手側アダプタの内壁に形成されている係止部に係合するよう前記解除レバーに突設されたラッチ部とを備えた光コネクタであって、前記アダプタへの前記プラグ本体の装着後には前記解除レバーの後端部が当該アダプタ内に収納配置されて外から直接手で前記解除レバーを操作させることが不能となるよう当該後端部を前記アダプタ内壁の係止部位置に対応させて設けたことを特徴とする光コネクタ。
【請求項２】
アダプタからプラグ本体を抜去する時には、当該アダプタの内壁と前記解除レバーの後端部との間に差し込むことにより当該解除レバーをプラグ本体側へ押圧させ、前記アダプタ内壁の係止部に対する前記ラッチ部の係合を解除可能とした係合解除用の抜去用キー工具を具備した請求項１記載の光コネクタ。
【請求項３】
ラッチ部は、前記解除レバーの後端部両側から外方に向けて形成され、両ラッチ部に挟まれた後端部中央が略山型湾曲状の押圧面となって形成され、この押圧面に前記抜去用キー工具の先端に形成された傾斜部が圧接することで当該解除レバーをプラグ本体側へ変位可能に形成してなる請求項１または２記載の光コネクタ。
【請求項４】
プラグ本体には、前記抜去用キー工具を挿入させてこの先端を前記解除レバーの押圧面に案内させるためのガイド用キー孔部を備え、このガイド用キー孔部のキー孔形状を抜去用キー工具の外形状に対応するように形成してなる請求項３記載の光コネクタ。
【請求項５】
プラグ本体の前記ガイド用キー孔部のキー孔内側に1個ないし複数個のガイド突条を設け、当該ガイド突条に対応する１本ないし複数本のキー溝を前記抜去用キー工具に設けてなる請求項４記載の光コネクタ。
【発明の詳細な説明】
【技術分野】
【０００１】
本発明は、フェルールを備えた光コネクタプラグをアダプタに着脱可能に接続するための光コネクタに関する。
【背景技術】
【０００２】
従来、フェルールを備えた光コネクタプラグをアダプタに着脱可能に接続する技術として、プラグ本体の先端外周面から基端側へ向けて斜めに突出させた解除レバーを備えたものがある。この解除レバーの略中間部には、接続する相手側アダプタの内壁に形成されている係止部に係合すべくラッチ片が突設されており、また解除レバー後端には、アダプタからのプラグ本体の抜去が容易な手動操作部が設けられている。
【０００３】
そして、プラグ本体をアダプタに装着する時は、そのまま挿入して解除レバーを変形させラッチ片をアダプタ内壁の係止部に係合させる。これにより光コネクタプラグがアダプタから抜けなくなる。また、プラグ本体をアダプタから抜去する時は、手指でもって解除レバー後端の手動操作部を押し下げてラッチ片とアダプタ内壁の係止部との係合を解除した後にプラグ本体を手前に引き抜くようにしていた。
【０００４】
具体的には特許文献１に示す光コネクタが公知である。
而して、この特許文献１に示す光コネクタは下記の構成および機能を備えている。
【０００５】
コネクタ４ａの上面側には、先端側から基端側へ斜め上側に延びる上下方向の弾性を有するレバー部１２が一体的に形成されている。レバー部１２の長さ方向の途中部には、アダプタ２の上壁部の２つの係止穴２ｂに係合される左右１対の係合突起１３が形成されている。従って、アダプタ２の装着穴２ａにコネクタ４ａが挿入していくと、レバー部１２が弾性変形し、コネクタ４ａが所定状態に挿入されると、レバー部１２が弾性的に上下へ復帰変形して、１対の係合突起１３がアダプタ２の２つの係止穴２ｂに係合して、２芯コネクタユニット１の装着状態が保持される。
【０００６】
前記操作レバー２０ａは、アダプタ２に装着された２芯コネクタユニット１を取り外す際にユーザーが操作するためのものである。図４、図５に示すように、操作レバー２０ａは上下方向に弾性を有し、操作レバー２０ａはクリップ本体２０の上面の途中部から先端側に向かって斜め上方に延びるように形成されている。クリップ５に１対のコネクタ４ａ、４ｂを装着した状態において、操作レバー２０ａの先端部はレバー部１２の基端部の上面に重なり、この操作レバー２０ａの先端部をユーザーが下方へ押動操作すると、１対のレバー部１２も下方へ押動され、アダプタ２の装着穴２ｂに係合している係合突起１３の係合が解除され、２芯コネクタユニット１がアダプタ２から取り外し可能になる。
【先行技術文献】
【特許文献】
【０００７】
【特許文献１】特開２００５−１８９２８８号公報
【発明の概要】
【発明が解決しようとする課題】
【０００８】
しかしながら、従来の光コネクタにおいては、解除レバー後端に手動操作部（クリップ）を設けていることにより、アダプタ装着時に不用意にあるいは悪戯等により当該手動操作部が押されてアダプタからプラグ本体が抜脱されてしまう虞れがある。
【０００９】
また、高密度実装の光ファイバコネクタシステムでは、狭所においてアダプタおよびプラグ本体がかなり緻密に密集したコンポジットシステムとなっていることから、ある特定のプラグ本体の引き抜き時に、対象とするプラグ本体以外のものまでが手指や引き抜いたプラグ等で押されて抜脱されてしまう虞れがあり、コネクタシステムとしてのセキュリティ機能が十分に果たされていないとともに、アダプタ外部に手動操作部（クリップ）が突出する分高密度実装の障害となっているのが実状である。
【００１０】
さらに、従来の光コネクタにおいては、作業者等が勝手に光コネクタプラグを抜いては困るような仕様・用途も存在する。例えば、パッチパネルやＨＵＢ、情報コンセント空きボードをロックして、個人情報の保護、不正アクセスやウイルスから大切なデータを保護する等のようなネットワークセキュリティシステムを必要とする場合、従来ではプラグ本体が相手側コネクタやアダプタに装着されていても上記した手動操作部（クリップ）が相手側コネクタやアダプタから常時露出した状態であるため、このような仕様・用途に十分に対応できないという問題点を有していた。
【００１１】
そこで、本発明は、叙上のような従来存した諸事情に鑑み案出されたもので、不用意にあるいは悪戯等により手動操作部が押されてアダプタからプラグ本体が抜脱されるのを未然に防止でき、また作業者等が勝手に光コネクタプラグを抜いては困るような仕様・用途にも十分に対応できるようにして、各部署の責任者以外の者にはラッチ片の解除（キー解除）ができないという諸々のプラグセキュリティシステムを構築することのできる光コネクタを提供することを目的とする。
【課題を解決するための手段】
【００１２】
上述した課題を解決するために、本発明にあっては、光ファイバの先端近傍が挿入されたフェルールを内蔵したプラグ本体と、当該プラグ本体の先端外周面から基端側へ向けて斜め上方向に突出された解除レバーと、接続する相手側アダプタの内壁に形成されている係止部に係合するよう前記解除レバーに突設されたラッチ部とを備えた光コネクタであって、前記アダプタへの前記プラグ本体の装着後には前記解除レバーの後端部が当該アダプタ内に収納配置されて外から直接手で前記解除レバーを操作させることが不能となるよう当該後端部を前記アダプタ内壁の係止部位置に対応させて設けたものである。
【００１３】
アダプタからプラグ本体を抜去する時には、当該アダプタの内壁と前記解除レバーの後端部との間に差し込むことにより当該解除レバーをプラグ本体側へ押圧させ、前記アダプタ内壁の係止部に対する前記ラッチ部の係合を解除可能とした係合解除用の抜去用キー工具を具備してなる。
【００１４】
ラッチ部は、前記解除レバーの後端部両側から外方に向けて形成され、両ラッチ部に挟まれた後端部中央が略山型湾曲状の押圧面となって形成され、この押圧面に前記抜去用キー工具の先端に形成された傾斜部が圧接することで当該解除レバーをプラグ本体側へ変位可能に形成してなる。
【００１５】
プラグ本体には、前記抜去用キー工具を挿入させてこの先端を前記解除レバーの押圧面に案内させるためのガイド用キー孔部を備え、このガイド用キー孔部のキー孔形状を抜去用キー工具の外形状に対応するように形成してなる。
【００１６】
プラグ本体の前記ガイド用キー孔部のキー孔内側に1個ないし複数個のガイド突条を設け、当該ガイド突条に対応する１本ないし複数本のキー溝を前記抜去用キー工具に設けてなる。
【発明の効果】
【００１７】
本発明によれば、アダプタへのプラグ本体の装着後には解除レバーの後端部がアダプタ内に収納配置されて外から直接手で前記解除レバーを操作させることが不能となるよう当該後端部を係止部位置に対応させてなるため、すなわち従来の解除レバーに延在している手動操作部（プラグ本体の装着後のアダプタから露出する部分）を無くしたことから、不用意にあるいは悪戯等により手動操作部（解除レバー）が押されてアダプタからプラグ本体が抜脱されるのを未然に防止でき、また作業者等が勝手に光コネクタプラグを抜いては困るような仕様・用途にも十分に対応できるようにして、会社や事業所等の各部署の責任者以外の者にはラッチ片の解除（キー解除）ができないという諸々の光コネクタプラグセキュリティシステムを構築することができる。
【００１８】
また、アダプタからプラグ本体を抜去する時には、当該アダプタの内壁と前記解除レバーの後端部との間に係合解除用の抜去用キー工具を差し込むことにより当該解除レバーを内方（プラグ本体側）へ押圧させ、前記係止部に対する前記ラッチ部の係合を解除可能としたので、アダプタからプラグ本体を抜去する必要が生じたときにのみ抜去用キー工具を差し込むだけでプラグ本体をアダプタから容易に抜去することができる。
【００１９】
具体的には、ラッチ部は、前記解除レバーの後端部両側から外部上方に向けて形成され、両ラッチ部に挟まれた後端部中央が略山型湾曲状の押圧面となって形成され、この押圧面に前記抜去用キー工具の先端に形成された傾斜部が圧接することで前記解除レバーをプラグ本体側へ変位可能にしたので、抜去用キー工具を使っての解除レバーの内方変位が確実且つスムーズに行え、したがって、プラグ本体の抜去が確実容易に行える。
【００２０】
さらに、プラグ本体には、抜去用キー工具を挿入させてこの先端を押圧面に案内させるためのガイド用キー孔部を備え、このガイド用キー孔部のキー孔形状を抜去用キー工具の外形状に対応するように形成してなるため、抜去用キー工具の外形状がガイド用キー孔部のキー孔形状と正確に合致しないときは、当該ガイド用キー孔部に抜去用キー工具が挿入できないことから、アダプタからプラグ本体が取り外せないものとすることができる。
【００２１】
また、プラグ本体のガイド用キー孔部の前記キー孔内側に1個ないし複数個のガイド突条を設け、当該ガイド突条に対応する１本ないし複数本のキー溝を前記抜去用キー工具に設けてなるので、当該キー溝形状とは異なるキー孔形状を有するガイド用キー孔部の場合には抜去用キー工具の挿入が阻止される。
【００２２】
これによって種々なキー孔形状を有するプラグ本体および前記キー孔形状に対応する種々なキー溝形状を有する抜去用キー工具を各々複数用意することで当該抜去用キー工具の所有者以外の者によるキー解除を防止することができる。
【００２３】
例えば会社や事業所等において、各レベル（部署）の責任者以外の者によるキー解除ができないような光コネクタプラグセキュリティシステムを構築することができる。したがって、光コネクタの仕様・用途等を広範囲に拡げることが可能となる。
【図面の簡単な説明】
【００２４】
【図１】本発明を実施するための一形態を示すプラグ本体と抜去用キー工具の斜視図である。
【図２】同じくプラグ本体の側面図である。
【図３】同じくプラグ本体のガイド用キー孔部に抜去用キー工具を挿入する状態の側面図である。
【図４】（ａ）はアダプタとプラグ本体の嵌合状態を示す縦断側面図であり、（ｂ）はアダプタ内壁の係止部を示す拡大断面図である。
【図５】同じくアダプタとプラグ本体の嵌合状態において、プラグ本体のガイド用キー孔部に抜去用キー工具を挿入する状態の縦断側面図である。
【図６】同じくアダプタとプラグ本体の嵌合状態において、プラグ本体のガイド用キー孔部に抜去用キー工具を挿入し解除レバーを押下させた状態（ラッチ部解除の状態）の縦断側面図である。
【図７】同じくプラグ本体に対する組立式によるガイド用キー孔部の一例を示すプラグ本体と抜去用キー工具の斜視図である。
【図８】同じく組立式によるガイド用キー孔部とクリップ枠体を示す斜視図である。
【図９】同じくプラグ本体に対する一体型のガイド用キー孔部の一例を示すプラグ本体と抜去用キー工具の斜視図である。
【図１０】（ａ）乃至（ｃ）は種々の異なるキー溝を備えた抜去用キー工具に対応したガイド用キー孔部にこれら抜去用キー工具を挿入した状態を示した斜視図である。
【図１１】抜去用キー工具のキー溝形状と受側であるガイド用キー孔部のキー孔形状との挿入可否を示す説明図であり、Ａ乃至Ｄによって抜去用キー工具のキー溝を分類し、１乃至４によってガイド用キー孔部のキー孔形状を分類している。
【図１２】同じく抜去用キー工具のキー溝形状と受側であるガイド用キー孔部のキー孔形状との挿入可否を示す説明図であり、責任レベル（役職）と鍵形状とを対応させて操作できる範囲を示している。
【図１３】抜去用キー工具をガイド用キー孔部に挿入した状態を示し、（ａ）は図１１中のＡ−１による組み合わせの横断面図、（ｂ）は図１１中のＢ−２による組み合わせの横断面図、（ｃ）は図１１中のＣ−３による組み合わせの横断面図、（ｄ）は図１１中のＤ−４による組み合わせの横断面図である。
【図１４】抜去用キー工具をガイド用キー孔部に挿入した状態を示し、（ａ）は図１２中のＡ−１による組み合わせの縦断面図、（ｂ）は図１２中のＢ−２による組み合わせの縦断面図、（ｃ）は図１２中のＣ−３による組み合わせの縦断面図、（ｄ）は図１２中のＤ−４による組み合わせの縦断面図である。
【発明を実施するための形態】
【００２５】
以下、図面を参照して本発明に係る光コネクタの実施の一形態を詳細に説明する。
【００２６】
本発明に係る光コネクタは、図１に示すように、光ファイバの先端近傍が挿入されたフェルール１５を内蔵したプラグ本体１１と、プラグ本体１１の先端外周面から基端側（後方）へ向けて斜め上方向に突出された解除レバー１８と、接続する相手側アダプタ３１の嵌合部内壁両側に対向して形成されている係止部３４（図４乃至図６参照）に係合するよう解除レバー１８後端両側に突設された左右一対のラッチ部１９ａ、１９ｂとを備え、プラグ本体１１には、後述する係合解除用の抜去用キー工具５１を挿入させたとき当該キー工具５１先端を解除レバー１８の押圧面１８Ａに案内させるためのガイド用キー孔部４１を備えている。
【００２７】
アダプタ３１は、図４乃至図６に示すように、上側壁、左右側壁、底壁、１つの仕切壁とが一体に形成されてなるハウジング３１ａにて形成され、このハウジング３１ａの両端には光コネクタプラグの嵌合部３１ｂがそれぞれ水平方向に開口している。
【００２８】
また、ハウジング中央部に配される左右一対の接合端壁の一方には、一方の円筒３５が嵌合部端側に向かって突設してあると共に、他方の接合端壁には、他方の円筒３６が嵌合部３１ｂ端側に向かって突設してあり、両円筒３５、３６が光学軸上で中心軸を一致させて接合端壁同士を係合固定することによってスリーブホルダー３２が形成される。このとき、スリーブホルダー３２内側に円筒状の割りスリーブ３３が装着され保持されている。そして、アダプタ３１の上側壁の両内側には、解除レバー１８に突設されたラッチ部１９ａ、１９ｂが係合する係止部３４として切欠き３４ａ（図４（ｂ）参照）が形成されている。
【００２９】
光コネクタプラグは、例えばＬＣ型のプラグ本体１１によって構成されており、該プラグ本体１１は、図４乃至図６に示すように、カップリングスリーブ１２と、このカップリングスリーブ１２内にフェルール用チューブ１３およびフレーム１４に装着されたフェルール１５と、フレーム１４の後端部外周に装着されるスプリング１６と、このスプリング１６を介してフレーム１４の後端部に嵌合する本体フレーム１７と、本体フレーム１７後部に装着されたブーツ２０とをそれぞれ具備する。
【００３０】
また、カップリングスリーブ１２の外周面には、アダプタ３１との係合およびその解除を行うための解除レバー１８がカップリングスリーブ１２に一体的に設けられている。この解除レバー１８は、カップリングスリーブ１２の先端部から後端部に向かって徐々にカップリングスリーブ１２外表面から離れるように上方へ傾斜して延設されている。
【００３１】
前記解除レバー１８は、アダプタ３１へのプラグ本体１１の装着後には、当該解除レバー１８の後端部がアダプタ３１内に収納配置されて外部からの手動操作が不能となるよう当該後端部をアダプタ３１内壁両側の係止部３４位置に対応させて設けてある。すなわち、従来の解除レバー１８に延設された手動操作部（プラグ本体１１の装着後のアダプタ３１から露出する部分）を無くして手動による抜去操作不能にすることで、装着後には後述する抜去用キー工具５１を使わなければアダプタ３１からプラグ本体１１が取り外せないようにしてある。
【００３２】
因みに、解除レバー１８の後端部とアダプタ３１内壁両側の係止部３４との対応状況は解除レバー１８の後端に設けられたラッチ部１９ａ、１９ｂとアダプタ３１内壁両側の係止部３４とが、プラグ本体１１の装着時に係合可能な位置関係にあればよい。
【００３３】
前記ラッチ部１９ａ、１９ｂは、解除レバー１８の後端部両側から外方に向けて形成されおり、アダプタ３１へのプラグ本体１１の装着時には解除レバー１８がアダプタ３１の上側壁によって押し下げられつつ挿入され、装着後には解除レバー１８が弾性復帰して、アダプタ３１の上側壁内側にある係止部３４の切欠き３４ａにラッチ部１９ａ、１９ｂがそれぞれ係合するようになっている。
【００３４】
また、解除レバー１８の左右ラッチ部１９ａ、１９ｂに挟まれた後端部中央は略山型湾曲状（上凸円弧状）の押圧面１８Ａとなって形成されており、この押圧面１８Ａに抜去用キー工具５１の先端下面に形成された傾斜部５２が圧接することで解除レバー１８（ラッチ部１９ａ、１９ｂ）をプラグ本体１１側へ変位させるものとなっている。すなわち、アダプタ３１からプラグ本体１１を抜去する時にはアダプタ３１の上側内壁と解除レバー１８の押圧面１８Ａとの間に係合解除用の抜去用キー工具５１を差し込むことにより抜去用キー工具５１先端の傾斜部５２が解除レバー１８後端部中央の押圧面１８Ａを内方（プラグ本体１１側）へ押圧させ、係止部３４の切欠き３４ａに対するラッチ部１９ａ、１９ｂの係合を解除可能にしている。
【００３５】
したがって、解除レバー１８の押圧面１８Ａは抜去用キー工具５１を差し込んだとき、左右のラッチ部１９ａ、１９ｂに突き当らない横幅に形成されるとともに、左右のラッチ部１９ａ、１９ｂは押圧面１８Ａより上方へ若干突出して形成してある。
【００３６】
さらに、プラグ本体１１には、抜去用キー工具５１を挿入させたとき当該キー工具５１先端を解除レバー１８の押圧面１８Ａに案内させるためのガイド用キー孔部４１が当該プラグ本体１１の本体フレーム１７に一体となって設けられている。すなわち、本体フレーム１７は、図１乃至図６に示すように、プラグ本体１１のカップリングスリーブ１２とブーツ２０との間でフェルール用チューブ１３を覆うようにして取り付けられており、本体フレーム１７の一側面には後方のブーツ２０側に向けて、中央に角孔状のキー孔４２を備えたガイド用キー孔部４１が一体的に延設されている。このときガイド用キー孔部４１のキー孔４２の長手方向延線上に、解除レバー１８後端部中央の押圧面１８Ａが対向配置するようにしてある。
【００３７】
一方、抜去用キー工具５１は、取っ手５３から角棒状のアーム部５４が突設され、アーム部５４先端の下面側には前記傾斜部５２が形成されている。そして、図５に示すように、抜去用キー工具５１のアーム部５４がガイド用キー孔部４１のキー孔４２に挿入され、図６に示すように、取っ手５３がガイド用キー孔部４１の後側開口端縁に係止されるまで押し込まれた際には、アーム部５４先端（傾斜部５２）がアダプタ３１の上側内壁と解除レバー１８の押圧面１８Ａとの間に差し込まれつつ、解除レバー１８自体は傾斜部５２によって内方（プラグ本体１１側）へ押圧させられ、これによって係止部３４の切欠き３４ａに対するラッチ部１９ａ、１９ｂの係合が解除されるものとしている。
【００３８】
このとき、抜去用キー工具５１のアーム部５４の外形状がガイド用キー孔部４１のキー孔４２の内形状と正確に合致しないときは、当該キー孔４２にアーム部５４が挿入できないことから、アダプタ３１からプラグ本体１１が取り外せないものとなっている。
【００３９】
次に、以上のように構成された形態についての使用・動作の一例について説明する。
【００４０】
図４に示すように、アダプタ３１の一方の嵌合部３１ｂにプラグ本体１１が装着されると、解除レバー１８がアダプタ３１の上側壁によって押し下げられつつ挿入されてゆき、装着後には解除レバー１８が弾性復帰して、アダプタ３１の上側壁両内側にある係止部３４の切欠き３４ａにラッチ部１９ａ、１９ｂが係合する。これと同時にアダプタ３１のカップリングスリーブ１２がスリーブホルダー３２に外嵌合し、スリーブホルダー３２内側の割りスリーブ３３にプラグ本体１１のフェルール１５が内嵌合する。このとき、解除レバー１８の後端部はアダプタ３１内に収納配置されて手動による外部からの操作が不能な状態となる。
【００４１】
アダプタ３１からプラグ本体１１を抜去する時には、図５および図６に示すように、抜去用キー工具５１のアーム部５４をガイド用キー孔部４１のキー孔４２に挿入し、取っ手５３がガイド用キー孔部４１の後側開口端縁に係止されるまで押し込む。このとき、アダプタ３１の上側内壁と解除レバー１８の押圧面１８Ａとの間に抜去用キー工具５１先端部の傾斜部５２が差し込まれ、傾斜部５２は解除レバー１８後端部中央の押圧面１８Ａを内方（プラグ本体１１側）へ押圧させることで、係止部３４の切欠き３４ａに対するラッチ部１９ａ、１９ｂの係合が解除され、その後、アダプタ３１からプラグ本体１１が手前へ抜去される。
【００４２】
また、図７、図８は、本発明に係る光コネクタプラグの他例を示す。
本例では、プラグ本体１１に対してガイド用キー孔部４１が外付可能となる組立式となっている。すなわち、ガイド用キー孔部４１は、プラグ本体１１の本体フレーム１７に一体的に形成されているのではなく、２つのプラグ本体１１の各本体フレーム１７を同時に把持することが可能な２つの把持溝４５を中央隔壁４６の両側に有するクリップ枠体４３を備え、前記中央隔壁４６の上端にガイド用キー孔部４１が一体に設けられている。すなわち、このクリップ枠体４３の把持溝４５それぞれにプラグ本体１１の本体フレーム１７が把持される。尚、図７中の符号４７は、クリップ枠体４３が本体フレーム１７前方へ向けてスライドして抜脱されないようにするためのストッパ部である。
【００４３】
このガイド用キー孔部４１のキー孔４２の形状は、２つのプラグ本体１１の各解除レバー１８の押圧面１８Ａに対向して横幅の広い扁平角孔となっており、その内側上面中央にはガイド突条４４が設けられていることで正面から見て略凹状の孔となっている。
【００４４】
これに対応すべく抜去用キー工具５１は、取っ手５５から帯板状の挿入部５６が突設され、この挿入部５６の中央には前記ガイド突条４４に係合するキー溝５７が形成されている。そして、前記挿入部５６の先端には、下面側が前記傾斜部５２となった左右一対のアーム部５８が延設されている。
【００４５】
この抜去用キー工具５１がガイド用キー孔部４１に挿入されることで、２つのプラグ本体１１の各解除レバー１８の押圧面１８Ａが同時に内方（プラグ本体１１側）へ押圧されて係止部３４の切欠き３４ａに対するラッチ部１９ａ、１９ｂの係合が解除され、２つのプラグ本体１１のアダプタ３１からの抜去が可能となる。
【００４６】
また、図９は、本発明に係る光コネクタプラグの更に他例を示す。
本例では、２つのプラグ本体１１に対してガイド用キー孔部４１が一体式となっている。すなわち、ガイド用キー孔部４１は、２つのプラグ本体１１の各本体フレーム１７に代わって一体的に形成されている。
【００４７】
具体的には、ガイド用キー孔部４１は上下一対の枠体６１ａ、６１ｂによって形成され、枠体６１ａの下端には先端に不図示のフック部を備えた前後二つの脚部６２ａ、６２ｂを備え、枠体６１ｂには脚部６２ａ、６２ｂそれぞれを係合するための前後二つの係合溝６３ａ、６３ｂが形成されている。これら上下一対の枠体６１ａ、６１ｂが互いに合致固定することで２つのプラグ本体１１に一体化される。また、上側の枠体６１ａには上記したように正面から見て略凹状となったキー孔４２が前後方向に貫通して設けられている。また、これに対応する抜去用キー工具５１は、取っ手５５の下側がブーツ２０に当たらないよう円弧凹部５５Ａが形成されている。
【００４８】
また、図１０中の（ａ）乃至（ｃ）は、２つのプラグ本体１１に跨って取り付けられる一体型のガイド用キー孔部４１の種々形状のキー孔４２に対して、種々の異なるキー溝５７を備えた抜去用キー工具５１を挿入した状態を示している。
【００４９】
すなわち、図１０（ａ）では、キー孔４２の１本のガイド突条４４に係合する１本のキー溝５７がキー工具５１の挿入部５６に形成され、図１０（ｂ）では、キー孔４２の２本のガイド突条４４に係合する２本のキー溝５７がキー工具５１の挿入部５６に形成され、図１０（ｃ）では、キー孔４２の３本のガイド突条４４に係合する３本のキー溝５７がキー工具５１の挿入部５６に形成されている。また、これに対応する取っ手５５の下側がブーツ２０に当たらないよう円弧凹部５５Ａが形成されている。
【００５０】
図１１および図１２には、キー溝５７の形状と、受側であるキー孔４２の形状との挿入可否を○、×で示す。
【００５１】
図１３は、図１１において抜去用キー工具５１をガイド用キー孔部４１に挿入した状態を示し、（ａ）は図１１中のＡ−１による組み合わせ状態の横断面図、（ｂ）は図１１中のＢ−２による組み合わせ状態の横断面図、（ｃ）は図１１中のＣ−３による組み合わせ状態の横断面図、（ｄ）は図１１中のＤ−４による組み合わせ状態の横断面図である。
【００５２】
また、図１４も、図１１において抜去用キー工具５１をガイド用キー孔部４１に挿入した状態を示し、（ａ）は図１１中のＡ−１による組み合せ状態の縦断面図、（ｂ）は図１１中のＢ−２による組み合せ状態の縦断面図、（ｃ）は図１１中のＣ−３による組み合せ状態の縦断面図、（ｄ）は図１１中のＤ−４による組み合せ状態の縦断面図である。
【００５３】
すなわち、キー溝５７の形状として、例えば、図１１の（Ａ）は幅広のキー溝５７が１本ある場合（図１３および図１４（ａ）参照）、（Ｂ）は細長な３本のキー溝５７が等間隔に並置されている場合（図１３および図１４（ｂ）参照）、（Ｃ）は片側に２本のキー溝５７が並置されている場合（図１３および図１４（ｃ）参照）、（Ｄ）は中央に１本の細長なキー溝５７がある場合（図１３および図１４（ｄ）参照）の４通りに対して、キー孔４２の形状がこれらに対応すべく、図１１中の（１）では幅広のガイド突条４４が１本ある場合（図１３および図１４（ａ）参照）、（２）では細長な３本のガイド突条４４が等間隔に並置されている場合（図１３および図１４（ｂ）参照）、（３）では片側に２本のガイド突条４４が並置されている場合（図１３および図１４（ｃ）参照）、（４）では中央に１本の細長なガイド突条４４がある場合（図１３および図１４（ｄ）参照）の４つの形状となるようにガイド突条４４の幅・個数・位置を適宜変えてある。
【００５４】
このとき、キー溝５７の形状が（Ａ）の場合では、（１）、（２）、（３）、（４）全てのキー孔４２の形状に挿入でき、（Ｂ）の場合では、（２）、（３）、（４）のキー孔４２の形状に挿入でき、（Ｃ）の場合では、（３）、（４）のキー孔４２の形状に挿入でき、（Ｄ）の場合では、（４）のキー孔４２の形状のみに挿入できる。それ以外では、抜去用キー工具５１のアーム部５４はガイド用キー孔部４１のキー孔４２には差し込むことができない。
【００５５】
こうして、ガイド用キー孔部４１のキー孔４２の形状を抜去用キー工具５１のキー溝５７の形状に対応させることにより、図１２に示すように、各責任レベル（役職）に従って、抜去用キー工具５１の操作できる範囲を決めることができ、これによって各レベル（部署）の責任者以外の者によるキー解除ができないような光コネクタプラグセキュリティシステムを構築することができる。
【符号の説明】
【００５６】
１１            プラグ本体
１２            カップリングスリーブ
１３            フェルール用チューブ
１４            フレーム
１５            フェルール
１６            スプリング
１７            本体フレーム
１８            解除レバー
１８Ａ          押圧面
１９ａ、１９ｂ  ラッチ部
２０            ブーツ
３１            アダプタ
３１ａ          ハウジング
３１ｂ          嵌合部
３２            スリーブホルダー
３３            割りスリーブ
３４            係止部
３４ａ          切欠き
３５            円筒
３６            円筒
４１            ガイド用キー孔部
４２            キー孔
４３            クリップ枠体
４４            ガイド突条
４５            把持溝
４６            中央隔壁
４７            ストッパ部
５１            抜去用キー工具
５２            傾斜部
５３、５５      取っ手
５４            アーム部
５６            挿入部
５７            キー溝
５８            アーム部
６１ａ、６１ｂ  枠体
６２ａ、６２ｂ  脚部
６３ａ、６３ｂ  係合溝
【図１】
0005567988.tif 000002
【図２】
0005567988.tif 000003
【図３】
0005567988.tif 000004
【図４】
0005567988.tif 000005
【図５】
0005567988.tif 000006
【図６】
0005567988.tif 000007
【図７】
0005567988.tif 000008
【図８】
0005567988.tif 000009
【図９】
0005567988.tif 000010
【図１０】
0005567988.tif 000011
【図１１】
0005567988.tif 000012
【図１２】
0005567988.tif 000013
【図１３】
0005567988.tif 000014
【図１４】
0005567988.tif 000015